(57)【要約】【課題】撮影状況が変わっても、ユーザが適切にシャッターチャンスを捉えられること。【解決手段】撮像装置１は、所定の撮像フレームレートで画像データを取得する撮像手段１２と、撮像手段１２により取得した複数の画像データを逐次記憶する記憶手段１５と、記憶手段１５に記憶された画像データを表示する表示手段１８と、記憶手段１５に記憶された画像データを、撮像フレームレートより低い表示フレームレートで表示手段１８にスロー表示させる表示制御手段１４と、スロー表示の開始を指示する第１の指示手段１７と、スロー表示中において、新たなスロー表示の開始を指示する第２の指示手段１４と、静止画像データの記録を指示する第３の指示手段１７と、を備える。【選択図】図１
2014072705.tif 000002
【特許請求の範囲】
【請求項１】
所定の撮像フレームレートで画像データを取得する撮像手段と、
前記撮像手段により取得した複数の画像データを逐次記憶する記憶手段と、
前記記憶手段に記憶された画像データを表示する表示手段と、
前記記憶手段に記憶された画像データを、前記撮像フレームレートより低い表示フレームレートで前記表示手段にスロー表示させる表示制御手段と、
前記スロー表示の開始を指示する第１の指示手段と、
前記スロー表示中において、新たなスロー表示の開始を指示する第２の指示手段と、
静止画像データの記録を指示する第３の指示手段と、
を備えることを特徴とする撮像装置。
【請求項２】
請求項１に記載の撮像装置において、
前記第３の指示手段による指示が行われると、当該指示タイミングにおいて前記表示手段にスロー表示されていた画像データを記録媒体に記録する画像記録制御手段をさらに備えることを特徴とする撮像装置。
【請求項３】
請求項１または２に記載の撮像装置において、
前記第２の指示手段は、撮影状況の変化を検知する検知手段を有し、前記検知手段により撮影状況の変化が検知されると、新たなスロー表示の開始を指示することを特徴とする撮像装置。
【請求項４】
請求項１〜３のいずれか一項に記載の撮像装置において、
前記表示制御手段は、前記スロー表示に関する情報を前記表示手段に表示させることを特徴とする撮像装置。
【請求項５】
請求項４に記載の撮像装置において、
前記表示制御手段は、前記第２の指示手段による指示が行われると、前記表示手段に表示させている前記スロー表示に関する情報の表示形態を変更することを特徴とする撮像装置。
【請求項６】
請求項４に記載の撮像装置において、
前記表示制御手段は、前記第２の指示手段による指示が行われると、当該指示タイミングから前記撮像手段により取得した画像データを、前記撮像フレームレートと同じ表示フレームレートで表示手段に表示させることを特徴とする撮像装置。
【請求項７】
請求項１〜６のいずれか一項に記載の撮像装置において、
前記第１の指示手段による指示が行われると、当該指示タイミングから前記撮像手段により取得した複数の画像データを記憶手段に逐次記憶させる第１の記憶制御手段と、
前記第１の記憶制御手段により記憶された画像データを、前記撮像フレームレートより低い表示フレームレートで表示手段にスロー表示させる第１の表示制御手段と、
前記第２の指示手段による指示が行われると、当該指示タイミングから前記撮像手段により取得した複数の画像データを記憶手段に逐次記憶させる第２の記憶制御手段と、
前記第２の記憶制御手段により記憶された画像データを、前記撮像フレームレートより低い表示フレームレートで表示手段にスロー表示させる第２の表示制御手段と、
をさらに備えることを特徴とする撮像装置。
【請求項８】
請求項７に記載の撮像装置において、
前記第１の記憶制御手段は、前記第１の指示手段による指示が行われると、当該指示タイミングから前記撮像手段により取得した画像データを第１の記憶手段に記憶させ、
前記第２の記憶制御手段は、前記第２の指示手段による指示が行われると、当該指示タイミングから前記撮像手段により取得した画像データを第２の記憶手段に記憶させ、
前記第２の表示制御手段および前記第１の表示制御手段は、前記第２の指示手段による指示が行われると、前記第２の記憶手段に記憶された画像データと前記第１の記憶手段に記憶された画像データとを交互に表示手段に表示させることを特徴とする撮像装置。
【請求項９】
請求項７に記載の撮像装置において、
前記第２の記憶制御手段は、前記第２の指示手段による指示が行われると、当該指示タイミングから前記撮像手段により取得した画像データを、前記第１の記憶制御手段により記憶手段に記憶された画像データに上書き記憶することを特徴とする撮像装置。
【請求項１０】
請求項１〜９のいずれか一項に記載の撮像装置において、
前記第１の指示手段による指示が行われると、焦点調節処理、露出演算処理およびホワイトバランス調整処理の少なくともいずれかを実行し、前記第２の指示手段による指示が行われると、焦点調節処理、露出演算処理およびホワイトバランス調整処理の少なくともいずれかを再度実行する処理実行手段をさらに備えることを特徴とする撮像装置。
【発明の詳細な説明】
【技術分野】
【０００１】
本発明は、撮像装置に関する。
【背景技術】
【０００２】
シャッターボタンが半押し操作されると、所定の撮像フレームレートで撮像素子に繰り返し撮像させ、バッファメモリに複数の画像を記憶し、記憶した複数の画像を撮像フレームレートよりも低いフレームレートで読み出して繰り返し表示部にスロー表示するスロー表示モードを有する撮像装置が知られている（例えば、特許文献１)。スロー表示モードでは、ユーザがスロー表示を見ながら所望のタイミングでシャッターボタンを全押し操作することで、当該操作時点でスロー表示されていた画像を記録することができる。このようなスロー表示モードは、動きの速い被写体であってもユーザが適切にシャッターチャンスを捉えることができるように設けられている。
【先行技術文献】
【特許文献】
【０００３】
【特許文献１】特許第４４４９９７３号公報
【発明の概要】
【発明が解決しようとする課題】
【０００４】
上記従来技術では、撮影状況が変わった場合、新たにスロー表示を行うためには、シャッターボタンの半押し操作を解除して、バッファメモリに記憶されている複数の画像のスロー表示を終了させなくてはならい。例えば、スロー表示中に被写体がフレームアウトするなどして撮影状況が変わった場合、新たな撮影状況におけるスロー表示を行うためには、再度シャッターボタンの半押し操作を行って、新たな撮影状況における画像をバッファメモリに記憶してからスロー表示を開始する必要がある。したがって、撮影状況が変わってもすぐに新たな撮影状況におけるスロー表示ができないので、シャッターチャンスを逃してしまう可能性があった。
【課題を解決するための手段】
【０００５】
本発明による撮像装置は、所定の撮像フレームレートで画像データを取得する撮像手段と、前記撮像手段により取得した複数の画像データを逐次記憶する記憶手段と、前記記憶手段に記憶された画像データを表示する表示手段と、前記記憶手段に記憶された画像データを、前記撮像フレームレートより低い表示フレームレートで前記表示手段にスロー表示させる表示制御手段と、前記スロー表示の開始を指示する第１の指示手段と、前記スロー表示中において、新たなスロー表示の開始を指示する第２の指示手段と、静止画像データの記録を指示する第３の指示手段と、を備えることを特徴とする。
【発明の効果】
【０００６】
本発明によれば、撮影状況が変わっても、ユーザが適切にシャッターチャンスを捉えることができる。
【図面の簡単な説明】
【０００７】
【図１】本発明の一実施の形態による撮像装置の構成例を説明するブロック図である。
【図２】撮像フレームレートおよび表示フレームレートを説明する図である。
【図３】第１の実施の形態におけるスロー表示処理を説明する図である。
【図４】スロー表示処理におけるバッファメモリの読出しおよび書込みを説明する図である。
【図５】第１の実施の形態における表示画面の一例を示す図である。
【図６】第１の実施の形態において制御部が実行する処理の流れを示すフローチャートである。
【図７】第１の実施の形態の変形例１におけるスロー表示処理を説明する図である。
【図８】第１の実施の形態の変形例１における表示画面の一例を示す図である。
【図９】第１の実施の形態の変形例１において制御部が実行する処理の流れを示すフローチャートである。
【図１０】第１の実施の形態の変形例２における表示画面の一例を示す図である。
【図１１】第１の実施の形態の変形例２におけるスロー表示処理を説明する図である。
【図１２】第２の実施の形態におけるスロー表示処理を説明する図である。
【図１３】第２の実施の形態の変形例１におけるスロー表示処理を説明する図である。
【図１４】第２の実施の形態の変形例２におけるスロー表示処理を説明する図である。
【発明を実施するための形態】
【０００８】
−第１の実施の形態−
図面を参照して本発明の第１の実施の形態について説明する。図１は、第１の実施の形態における撮像装置の構成を示すブロック図である。撮像装置１は、撮像光学系１１と、撮像素子１２と、レンズ駆動回路１３と、制御部１４と、バッファメモリ１５と、振れ検出部１６と、操作部１７と、表示部１８とを備えている。撮像装置１には、例えばメモリカードなどの記録媒体１９が着脱可能である。
【０００９】
撮像光学系１１は、ズームレンズやフォーカシングレンズを含む複数のレンズ群で構成され、被写体像を撮像素子１２の受光面に結像させる。なお、図１を簡単にするため、撮像光学系１１を単レンズとして図示している。
【００１０】
レンズ駆動回路１３は、制御部１４の制御のもと、撮像光学系１１のズームレンズを駆動して焦点距離を調節するとともに、撮像光学系１１のフォーカシングレンズを駆動して焦点調節を行う。
【００１１】
撮像素子１２は、例えばＣＭＯＳなどのイメージセンサであり、撮像光学系１１により結像した被写体像を撮像して、得られた画像信号を制御部１４へ出力する。
【００１２】
制御部１４は、ＣＰＵおよびその他の周辺回路等により構成され、撮像装置１全体の制御を行う。制御部１４は、撮像素子１２から取得した画像信号から画像データを生成する。バッファメモリ１５は、撮像素子１２からの画像信号を基に取得される画像データを一時記憶するために使用される。
【００１３】
振れ検出部１６は、例えばジャイロセンサなどから構成され、撮像装置１の振れ量を検出して、検出結果を制御部１４に出力する。制御部１４は、振れ検出部１６からの検出信号に基づいて、撮像装置１のパンニングが行われたか否かを判定する。
【００１４】
操作部１７は、ユーザによって操作される種々の入力部材、例えば、モード切替ボタン、シャッターボタン、録画ボタン、十字キー、決定ボタンなどにより構成される。操作部１７は、各ボタンが押下操作されると、各操作に応じた操作信号を制御部１４へ出力する。
【００１５】
表示部１８は、撮像装置１の背面に搭載された液晶モニタ（背面モニタ）等で構成され、撮像素子１２で撮像された画像や各種設定メニューなどが表示される。
【００１６】
制御部１４は、操作部１７での操作により撮影モードに設定されると、撮像素子１２から時系列で取得した画像信号から表示用のフレーム画像データを生成して表示部１８に出力する。これによって表示部１８にはスルー画が表示される。また制御部１４は、シャッターボタンが全押し操作されると、撮像素子１２から取得した画像信号に対して所定の画像処理を行って静止画像データを生成し、ＪＰＥＧなどの所定の方式により圧縮処理を行って、記録媒体１９に記録する。また制御部１４は、操作部１７での操作により再生モードに設定されると、記録媒体１９に記録された静止画像データを読み出して再生し、表示部１８に表示する。なお、本実施形態では、記憶とはバッファメモリなどの揮発性の記録媒体に画像を保存することであり、記録とはメモリカードなどの不揮発性の記録媒体に画像を保存することとする。
【００１７】
本実施形態の撮像装置１は、スロービューモードを有する。スロービューモードとは、シャッターボタンが半押し操作されると、撮像フレームレートよりも低い表示フレームレートでスルー画を表示するモードである。換言すれば、被写体を表示部１８にスロー表示する撮影モードである。スロービューモードは、撮像フレームレートよりも表示フレームレートを低くすることで、動きの速い被写体であってもユーザが適切にシャッターチャンスを狙うことができるように設けられた撮影モードである。スロービューモードでは、ユーザはスロー表示を見ながら所望のタイミングでシャッターボタンを全押し操作することで、全押し操作時点で表示部１８に表示されていた画像の静止画データを記録媒体１９に記録することができる。したがって、ユーザはシャッターチャンスを逃さず撮影することができる。本実施形態の撮像装置１は、このスロービューモードに特徴を有するので、以下この点について図を用いて詳しく説明する。
【００１８】
図２は、撮像フレームレートおよび表示フレームレートを説明する図である。図３は、スロー表示処理を説明する図である。図４は、スロー表示処理におけるバッファメモリ１５の読出しおよび書込みを説明する図である。以下、通常の表示フレームレート（後述のスルー画表示用フレームレート）で被写体を表示部１８に表示する処理をスルー画表示処理、通常の表示フレームレートより低い表示フレームレート（後述のスロー表示用フレームレート）で被写体を表示部１８に表示する処理をスロー表示処理と呼ぶ。
【００１９】
制御部１４は、操作部１７での操作によりスロービューモードに設定されると、図２に示すように、撮像素子１２に所定の撮像フレームレートで被写体像を繰り返し撮像させる撮像処理を開始させる。そして、制御部１４は、撮像処理により得られる複数の画像データを、バッファメモリ１５に逐次記憶していく。制御部１４は、バッファメモリ１５に逐次記憶された複数の画像データのフレーム画像を、例えば当該撮像フレームレートと同じ表示フレームレート（以下、スルー画表示用フレームレートと呼ぶ）で再生して表示部１８に表示（すなわち通常の表示フレームレートでスルー画を表示）するスルー画表示処理を開始させる。このときユーザは、スルー画表示用フレームレートで表示されるスルー画を確認しながら、撮影タイミングを待つ。
【００２０】
そして、撮影タイミングが近づいたとユーザが判断し、シャッターボタンを半押し操作したとする。すると、制御部１４は、半押し操作時点で取得した画像データに基づいてＡＦ（自動焦点調節）処理、ＡＥ（自動露出演算）処理、およびＡＷＢ（自動ホワイトバランス調整）処理を実行する。制御部１４は、これらの処理後、焦点調節状態を固定するＡＦロック、露出を固定するＡＥロック、およびホワイトバランスを固定するＡＷＢロックを行う。
【００２１】
そして制御部１４は、シャッターボタンが半押し操作された時点から、撮像処理により逐次得られる複数の画像データのフレーム画像を、スルー画表示用フレームレートよりも低い表示フレームレート（以下、スロー表示用フレームレートと呼ぶ）で再生して表示部１８に表示（すなわちスロー画を表示）するスロー表示処理を開始する。すなわち、制御部１４は、バッファメモリ１５に逐次記憶された画像データのフレーム画像データを読み出してスロー表示用フレームレートで表示部１８に表示していく。
【００２２】
本実施形態では、例えば、撮像フレームレートが１００ｆｐｓであり、スルー画表示用フレームレートも１００ｆｐｓであり、スロー表示用フレームレートが３０ｆｐｓである。なお、例えば、撮像フレームレートが１００ｆｐｓであり、スルー画表示用フレームレートが６０ｆｐｓであり、スロー表示用フレームレートが３０ｆｐｓであってもよい。
【００２３】
図５は、スロー表示処理中における表示部１８の表示画面の一例を示す図である。制御部１４は、スロー表示用フレームレートで表示するフレーム画像５０を表示画面全体に表示する。また制御部１４は、フレーム画像の右上に、撮像フレームレート（スルー画表示用フレームレート）に対するスロー表示用フレームレートの倍率を示す情報５１を表示する。なお、図５で一例として示している「×０．２」は、スロー表示用フレームレートが撮像フレームレートの０．２倍のスピードであることを示している。
【００２４】
制御部１４は、図４に示すように、シャッターボタンの半押し操作時点から所定フレーム数（Ｎフレーム）分の画像データの記憶が完了するとバッファメモリ１５への書き込みを停止し、当該Ｎフレーム分の画像データをバッファメモリ１５に保持（記憶）しておく。なお、所定フレーム数とは、例えば、バッファメモリ１５に記録可能な最大のフレーム数である。
【００２５】
また制御部１４は、図３または図４に示すように、Ｎフレーム分の画像データのフレーム画像のスロー表示が終了すると、半押し操作の解除もしくは全押し操作がない限り、再度、バッファメモリ１５からＮフレーム分の画像データのフレーム画像データを順に読み出してスロー表示させる。すなわち、制御部１４は、バッファメモリ１５に保持されているＮフレーム分のフレーム画像のスロー表示を繰り返し行う（すなわちリピート表示する）。
【００２６】
ここでユーザが、このスロー表示を確認しながら所望の撮影タイミングを捉えて、シャッターボタンを全押し操作したとする。すると、制御部１４は、この全押し操作時点で表示部１８に表示していたフレーム画像に対応する画像データを記録用画像（静止画像データ）として記録媒体１９に記録する。記録後、スロー表示処理を終了して、スルー画表示処理に戻る。一方、スロー表示処理中、シャッターボタンの半押し操作が解除された場合には、スロー表示処理を終了して、スルー画表示処理に戻る。
【００２７】
また、スロー表示処理中、制御部１４は、振れ検出部１６からの検出信号に基づいて撮像装置１のパンニングが行われた（撮影状況が変わった）か否かを判定する。撮像装置１のパンニングが行われる場合としては、例えば、スロー表示処理中に被写体がフレームアウトするなどして、ユーザが被写体を追いかけて撮像装置１をパンニングする状況が考えられる。撮影状況の変化とは、パンニングの他に、ズーミングなど、明るさや画角が変化する場合である。
【００２８】
制御部１４は、撮像装置１のパンニングが行われたと判定すると、これまで行っていたスロー表示処理（１回目のスロー表示処理）を終了して、新たなスロー表示処理（２回目のスロー表示処理）を開始する。１回目のスロー表示処理から２回目のスロー表示処理に移行する際、制御部１４は、これまでのＡＦロック、ＡＥロックおよびＡＷＢロックを解除して、パンニングが検出されてから取得した画像データに基づいて再度ＡＦ処理、ＡＥ処理およびＡＷＢ処理を行い、ＡＦロック、ＡＥロックおよびＡＷＢロックを行う。
【００２９】
新たなスロー表示処理（２回目のスロー表示処理）において制御部１４は、図３に示すように、バッファメモリ１５に記憶されている１回目のスロー表示処理時の画像データへの上書きを許可し、撮像装置１のパンニングを判定した時点から撮像処理により逐次得られる画像データをバッファメモリ１５に記憶（上書き）していく。これと共に制御部１４は、バッファメモリ１５に記憶された画像データのフレーム画像データを読み出してスロー表示用フレームレートで表示部１８に表示していく。
【００３０】
制御部１４は、図４に示すように、２回目のスロー表示処理においても、１回目のスロー表示処理と同様に、Ｎフレーム分の画像データの記憶が完了するとバッファメモリ１５への書き込みを停止し、当該Ｎフレーム分の画像データをバッファメモリ１５に保持しておく。また制御部１４は、バッファメモリ１５に保持されているＮフレーム分のフレーム画像のスロー表示を繰り返し行う。
【００３１】
この２回目のスロー表示処理中において、ユーザが所望の撮影タイミングを捉えて、シャッターボタンを全押し操作したとする。すると、制御部１４は、この全押し操作時点で表示部１８に表示していたフレーム画像に対応する画像データを記録用画像（静止画像データ）として記録媒体１９に記録する。記録後、スロー表示処理を終了して、スルー画表示処理に戻る。一方、シャッターボタンの半押し操作が解除された場合には、スロー表示処理を終了して、スルー画表示処理に戻る。
【００３２】
また、２回目のスロー表示処理中、制御部１４は、振れ検出部１６からの検出信号に基づいて撮像装置１のパンニングが行われたと判定すると、これまで行っていたスロー表示処理（２回目のスロー表示処理）を終了して、新たなスロー表示処理（３回目のスロー表示処理）を開始する。
【００３３】
このように制御部１４は、スロー表示処理中に撮像装置１のパンニングが検出されるたびに、新たなスロー表示処理を開始して、パンニングが検出されてから取得した画像データのフレーム画像をスロー表示する。撮像装置１のパンニングが行われたということは、撮影状況が変化し、ユーザが撮影したい被写体が変わった可能性が高い。ゆえに、撮像装置１のパンニングに応じて新たなスロー表示を開始することにより、ユーザが新たなスロー表示を開始するための特別な操作を行わなくても新たな撮影状況での撮像画像をスロー表示することができ、ユーザが適切にシャッターチャンスを捉えることができる。
【００３４】
次に、上述したスロー表示機能における処理の流れを、図６に示すフローチャートを用いて説明する。制御部１４は、操作部１７の操作によりスロービューモードに設定されると、図６に示す処理を開始する。
【００３５】
ステップＳ１において、制御部１４は、撮像素子１２の撮像処理により逐次得られる画像データのフレーム画像をスルー画で表示部１８に表示するスルー画表示処理を実行して、ステップＳ２へ進む。
【００３６】
ステップＳ２において、制御部１４は、シャッターボタンが半押し操作されたか否かを判定する。シャッターボタンが半押し操作されない場合には、ステップＳ２を否定判定してステップＳ１に戻り、スルー画表示処理を継続する。一方、シャッターボタンが半押し操作された場合には、制御部１４は、ステップＳ２を肯定判定してスルー画表示処理を終了し、ステップＳ３へ進む。
【００３７】
ステップＳ３において、制御部１４は、シャッターボタンの半押し操作時点から所定フレーム数分の画像データをバッファメモリ１５に記憶して、ステップＳ４へ進む。
【００３８】
ステップＳ４において、制御部１４は、バッファメモリ１５に記憶された画像データのフレーム画像を、撮像フレームレートよりも低いスロー表示用フレームレートで表示して、ステップＳ５へ進む。
【００３９】
ステップＳ５において、制御部１４は、振れ検出部１６からの検出信号に基づいて、撮像装置１のパンニングが行われたか否かを判定する。パンニングが行われたと判定した場合には、制御部１４は、ステップＳ５を肯定判定してステップＳ３に戻り、パンニングが検出されてから取得した画像データのフレーム画像をスロー表示する新たなスロー表示処理を行う。一方、パンニングが行われていないと判定した場合には、制御部１４は、ステップＳ５を否定判定して、ステップＳ６へ進む。
【００４０】
ステップＳ６において、制御部１４は、シャッターボタンの半押し操作が解除されたか否かを判定する。シャッターボタンの半押し操作が解除されたと判定した場合には、制御部１４は、ステップＳ６を肯定判定してスロー表示処理を終了し、ステップＳ１に戻ってスルー画表示処理を行う。一方、シャッターボタンの半押し操作が解除されていないと判定した場合には、制御部１４は、ステップＳ６を否定判定して、ステップＳ７へ進む。
【００４１】
ステップＳ７において、制御部１４は、シャッターボタンが全押し操作されたか否かを判定する。シャッターボタンが全押し操作されていないと判定した場合には、制御部１４は、ステップＳ７を否定判定してステップＳ４へ戻り、スロー表示処理を継続する。一方、シャッターボタンが全押し操作されたと判定した場合には、制御部１４は、ステップＳ７を肯定判定してステップＳ８へ進む。
【００４２】
ステップＳ８において、制御部１４は、シャッターボタンが全押し操作された時点で表示部１８に表示していたフレーム画像に対応する画像データを記録用画像（静止画像データ）として記録媒体１９に記録して、図６の処理を終了する。
【００４３】
以上説明した第１の実施形態によれば、次の作用効果が得られる。
（１）撮像装置１は、所定の撮像フレームレートで被写体を撮像する撮像素子１２と、シャッターボタンの半押し操作が行われると、当該操作タイミングから撮像された動画データをバッファメモリ１５に記憶させる制御部１４と、当該記憶した動画データを、撮像フレームレートより低い表示フレームレートで表示部１８にスロー表示させる制御部１４と、当該スロー表示中において、撮像装置１の振れ量を検出する振れ検出部１６およびパンニングが行われたか否かを判定する制御部１４と、撮像装置１のパンニングが検出されると、当該検出タイミングから撮像された動画データをバッファメモリ１５に記憶させる制御部１４と、当該記憶した動画データを、撮像フレームレートより低い表示フレームレートで表示部１８にスロー表示させる制御部１４と、静止画像データの記録を指示するシャッターボタンと、シャッターボタンの全押し操作が行われると、当該操作タイミングにおいて表示部１８にスロー表示されていた動画データのフレーム画像データを記録媒体１９に記録する制御部１４と、を備える。これにより、撮影状況の変化に合わせてスロー表示させる画像を変えることができるので、撮影状況が変わってもユーザが適切にシャッターチャンスを捉えて、撮影することができる。
【００４４】
（２）上記（１）の撮像装置１において、制御部１４は、撮像装置１のパンニングが検出されると、当該検出タイミングから撮像された動画データを、シャッターボタンの半押し操作タイミングから撮像されバッファメモリ１５に記憶された動画データに上書き記憶するように構成した。これにより、一回のスロー表示処理においてバッファメモリ１５の容量分の動画データを記憶しておくことができる。
【００４５】
（３）上記（１）または（２）の撮像装置１において、制御部１４は、シャッターボタンが半押し操作されると、ＡＦ処理、ＡＥ処理およびＡＷＢ処理を実行し、撮像装置１のパンニングが検出されると、再度ＡＦ処理、ＡＥ処理およびＡＷＢ処理を実行するように構成した。これにより、撮影状況の変化に合わせて適切にＡＦ処理、ＡＥ処理およびＡＷＢ処理を実行することができる。
【００４６】
（第１の実施の形態の変形例１）
上述した撮像装置１において制御部１４は、撮像装置１のパンニングを検出して新たなスロー表示処理を開始する際に、例えば撮像フレームレートと同じスルー画表示フレームレートで表示（すなわちスルー画表示）するフレーム画像を、表示部１８に子画面として表示するようにしてもよい。
【００４７】
図７は、変形例１におけるスロー表示処理を説明する図である。変形例１の制御部１４は、シャッターボタンの半押し操作を検出して行う１回目のスロー表示処理を、上述した第１の実施の形態と同様に行う。
【００４８】
そして制御部１４は、振れ検出部１６からの検出信号に基づいて撮像装置１がパンニングされたと判定すると、２回目のスロー表示処理を行うと共に、図８に示すように、撮像素子１２により撮像された画像データのフレーム画像を、例えば撮像フレームレートと同じスルー画表示用フレームレートで表示する子画面５２を表示させる。子画面５２は、例えば画面全体の１／４程度の大きさで表示部１８に表示され、スロー表示用フレームレートで表示されるフレーム画像５０の右下に重ねて表示される。また子画面５２の右上には、スルー画表示であることを示す「×１」という文字が表示される。
【００４９】
このように制御部１４は、撮像装置１のパンニングを検出して新たなスロー表示処理を開始すると共に、撮像画像をスルー画表示する子画面５２を表示することにより、ユーザに撮影状況の変化に応じて新たなスロー表示処理を開始したことを報知することができる。
【００５０】
なお、制御部１４は、撮像画像をスルー画表示する子画面５２については、所定時間表示した後に表示を終了する。
【００５１】
図９は、変形例１における処理の流れを示すフローチャートである。なお、図９において図６と同一の処理については同一の符号を付して説明を省略する。ステップＳ５において変形例１の制御部１４は、撮像装置１のパンニングが行われたことによりステップＳ５を肯定判定すると、ステップＳ１０へ進む。
【００５２】
ステップＳ１０において制御部１４は、撮像素子１２により撮像された画像データのフレーム画像を、例えば撮像フレームレートと同じスルー画表示用フレームレートで表示する子画面５２に表示して、ステップＳ３に戻る。ステップＳ３において制御部１４は、新たなスロー表示処理を開始して、スロー表示用フレームレートで表示されるフレーム画像５０を表示画面全体に表示する。
【００５３】
（第１の実施の形態の変形例２）
上述した撮像装置１において制御部１４は、図１０に示すように、スロー表示画面において、スロー表示用フレームレートで表示されるフレーム画像５０の下側に、表示バー５３を重ねて表示させるようにしてもよい。この表示バー５３は、現在どのタイミングのフレーム画像がスロー表示されているかを示すものである。具体的には、表示バー５３全体の長さがバッファメモリ１５に記憶されている全フレーム画像が表示されるのに要する時間を示し、塗りつぶされた部分の長さがこれまでにスロー表示された時間を示している。
【００５４】
図１１は、変形例２におけるスロー表示処理を説明する図である。変形例２の制御部１４は、シャッターボタンの半押し操作を検出すると１回目のスロー表示処理を行う。このとき、制御部１４は、スロー表示用フレームレートで表示しているフレーム画像５０の下側に、表示バー５３を重ねて表示させる。
【００５５】
そして制御部１４は、振れ検出部１６からの検出信号に基づいて撮像装置１のパンニングを検出すると、新たなスロー表示処理（２回目のスロー表示処理）を行うと共に、表示バー５３を点滅させる。これにより、ユーザに撮影状況の変化に応じて新たなスロー表示処理を開始したことを報知することができる。なお、制御部１４は、パンニング検出に応じて表示バー５３を所定時間点滅させた後は、点滅を停止する。
【００５６】
−第２の実施の形態−
次に、図面を参照して本発明の第２の実施の形態について説明する。第２の実施の形態では、スロー表示処理が第１の実施の形態と異なるので、この点を中心に説明する。なお、第２の実施の形態の撮像装置は、第１の実施の形態の撮像装置１の構成と同様であるため、説明を省略する。またこの他、第２の実施の形態において、第１の実施の形態と同様の箇所については、説明および図示を省略する。
【００５７】
図１２は、第２の実施の形態におけるスロー表示処理を説明する図である。第２の実施の形態では、バッファメモリ１５に第１の記憶領域および第２の記憶領域が割り振られている。制御部１４は、シャッターボタンが半押し操作されると、半押し操作された時点からのフレーム画像データを、バッファメモリ１５の第１の記憶領域に逐次記憶していく。
【００５８】
これと共に制御部１４は、バッファメモリ１５の第１の記憶領域に逐次記憶された画像データのフレーム画像を読み出してスロー表示用フレームレートで表示部１８に表示していく。
【００５９】
制御部１４は、シャッターボタンの半押し操作時点から所定フレーム数分のフレーム画像の画像データの記憶が完了するとバッファメモリ１５への書き込みを停止し、当該所定フレーム数分のフレーム画像の画像データをバッファメモリ１５の第１の記憶領域に保持しておく。なお、ここでの所定フレーム数とは、例えば、バッファメモリ１５の第１の記憶領域に記録可能な最大のフレーム数である。また制御部１４は、バッファメモリ１５の第１の記憶領域に保持されている所定フレーム数分のフレーム画像のスロー表示を繰り返し行う。
【００６０】
そして制御部１４は、振れ検出部１６からの検出信号に基づいて撮像装置１のパンニングを検出すると、これまで行っていたスロー表示処理（１回目のスロー表示処理）を終了して、新たなスロー表示処理（２回目のスロー表示処理）を開始する。新たなスロー表示処理（２回目のスロー表示処理）において制御部１４は、撮像装置１のパンニングを検出した時点からのフレーム画像の画像データを、バッファメモリ１５の第２の記憶領域に逐次記憶していく。またここでは、第１の実施の形態と異なり、シャッターボタンの半押し操作時点からのフレーム画像をバッファメモリ１５の第１の記憶領域に保持したまま、バッファメモリ１５の第２の記憶領域にパンニングが検出されてから取得した画像データ時点からのフレーム画像の画像データを逐次書き込んでいく。
【００６１】
制御部１４は、パンニング検出時点から所定フレーム数分のフレーム画像の画像データの記憶が完了するとバッファメモリ１５への書き込みを停止し、当該フレーム画像の画像データをバッファメモリ１５の第２の記憶領域に保持しておく。なお、所定フレーム数とは、例えば、バッファメモリ１５の第２の記憶領域に記録可能な最大のフレーム数である。ここでは、第１の記憶領域と第２の記憶領域に記録可能なフレーム数は同じであるとする。
【００６２】
また制御部１４は、バッファメモリ１５の第２の記憶領域に逐次記憶されたフレーム画像データを読み出してスロー表示用フレームレートで表示部１８に表示する。制御部１４は、バッファメモリ１５の第２の記憶領域に記憶されたフレーム画像のスロー表示が終了すると、今度はバッファメモリ１５の第１の記憶領域に記憶されたフレーム画像データを読み出してスロー表示用フレームレートで表示部１８に表示する。そして制御部１４は、バッファメモリ１５の第１の記憶領域に記憶されたフレーム画像のスロー表示が終了すると、次にバッファメモリ１５の第２の記憶領域に記憶された画像データのフレーム画像データを読み出してスロー表示用フレームレートで表示部１８に表示する。すなわち、制御部１４は、バッファメモリ１５の第１の記憶領域に記憶されたフレーム画像と、バッファメモリ１５の第２の記憶領域に記憶されたフレーム画像とを交互に繰り返しスロー表示する。
【００６３】
なお、制御部１４は、２回目のスロー表示処理中に撮像装置１のパンニングが行われたことを検出して３回目のスロー表示処理を開始すると、パンニングが検出されてから取得した画像データをバッファメモリ１５の第１の記憶領域に上書き記憶する。すなわち、制御部１４は、撮像装置１のパンニングが検出されるたびに、バッファメモリ１５の第１の記憶領域と第２の記憶領域を交互に用いて画像データを一時記憶する。
【００６４】
以上説明した第２の実施形態によれば、次の作用効果が得られる。
撮像装置１において、制御部１４は、シャッターボタンの半押し操作が行われると、当該操作タイミングから撮像された動画データをバッファメモリ１５の第１の記憶領域に記憶させ、撮像装置１のパンニングが検出されると、当該検出タイミングから撮像された動画データをバッファメモリ１５の第２の記憶領域に記憶させ、第２の記憶領域に記憶させた動画データと第１の記憶領域に記憶させた動画データとを交互に表示部１８にスロー表示させるように構成した。これにより、ユーザは、撮影状況が変わった後の動画データにおいてシャッターチャンスを狙うこともできるし、撮影状況が変わる前の動画データにおいてシャッターチャンスを狙うこともでき、ユーザが所望するシャッターチャンスを一段と適切に捉えて、撮影することができる。
【００６５】
（第２の実施の形態の変形例１）
上述した第２の実施の形態の撮像装置１において、撮像装置１のパンニングが検出されて新たなスロー表示処理を開始する際に、上述した撮像画像をスルー画表示する子画面５２を表示するようにしてもよい。
【００６６】
図１３は、変形例１におけるスロー表示処理を説明する図である。変形例１の制御部１４は、撮像装置１のパンニングを検出すると、２回目のスロー表示処理を行うと共に、撮像素子１２により撮像されたフレーム画像を、例えば撮像フレームレートと同じスルー画表示用フレームレートで表示する子画面５２を表示させる。
【００６７】
（第２の実施の形態の変形例２）
上述した第２の実施の形態の撮像装置１において、スロー表示用フレームレートでフレーム画像を表示している際に、上述した表示バー５３を合わせて表示させるようにしてもよい。
【００６８】
図１４は、変形例２におけるスロー表示処理を説明する図である。変形例２の制御部１４は、撮像装置１のパンニングが検出されると、新たなスロー表示処理（２回目のスロー表示処理）を行うと共に、表示バー５３を点滅させる。
【００６９】
（第２の実施の形態の変形例３）
上述した２回目のスロー表示処理を開始すると、制御部１４は、バッファメモリ１５の第２の記憶領域に保持した画像データのフレーム画像（第２のフレーム画像）を画面全体にスロー表示させると共に、バッファメモリ１５の第１の記録領域に保持した画像データのフレーム画像（第１のフレーム画像）を子画面にスロー表示させるようにしてもよい。
【００７０】
変形例３の制御部１４は、画面全体に表示した第２のフレーム画像および子画面に表示した第１のフレーム画像のスロー表示が終了すると、次に第１のフレーム画像を画面全体にスロー表示すると共に、第２のフレーム画像を子画面にスロー表示する。すなわち、第１のフレーム画像および第２のフレーム画像を画面全体と子画面とで表示領域を入れ替えながら繰り返しスロー表示する。
【００７１】
ここでシャッターボタンの全押し操作が行われた場合には、制御部１４は、当該全押し操作時点で画面全体に表示していたフレーム画像に対応する画像データを記録用画像（静止画像）として記録媒体１９に記録すればよい。
【００７２】
また変形例３の制御部１４は、第１のフレーム画像および第２のフレーム画像に対応する表示バー５３をそれぞれ表示させるようにしてもよい。
【００７３】
（第２の実施の形態の変形例４）
上述した第２の実施の形態では、バッファメモリ１５に第１および第２の記憶領域が割り振られている例について説明したが、バッファメモリ１５に割り振られている記憶領域は３つ以上であってもよい。例えば、バッファメモリ１５に記憶領域が３つ割り振られている場合には、制御部１４は、３回目のスロー表示処理の際、バッファメモリ１５の第１および第２の記憶領域に画像データを保持したまま、第３の記憶領域に新たに画像データを蓄積する。そして、制御部１４は、第３の記憶領域のフレーム画像をスロー表示した後は、第１〜第３の記憶領域のフレーム画像を順にリピート表示する。
【００７４】
−その他の変形例−
（変形例１）
上述した第１および第２の実施の形態では、撮像装置１のパンニングを検出すると、新たなスロー表示処理を開始する例について説明した。しかしながら、パンニングに限らず、この他の撮影状況の変化を検出した場合に新たなスロー表示処理を開始するようにしてもよい。
【００７５】
例えば、制御部１４は、画角または明るさが所定閾値以上変化した場合に、撮影状況が変化したと判定して新たなスロー表示処理を開始するようにしてもよい。
【００７６】
また例えば、制御部１４は、撮像素子１２により撮像される画像データのフレーム画像に対して顔検出処理を行い、顔が検出されなかった状態から顔が検出される状態に変化した場合、またはこの逆に変化した場合に、撮影状況が変化したと判定して新たなスロー表示処理を開始するようにしてもよい。この場合、ユーザが撮影状況の変化に気づかなかったとしても、撮像装置１が自動で撮影状況の変化を検知して新たなスロー表示処理を開始することができる。
【００７７】
（変形例２）
上述した第１および第２の実施の形態では、撮像装置１のパンニングの検出を、新たなスロー表示処理の開始指示とする例について説明した。しかしながら、操作部１７に対する所定のユーザ操作により新たなスロー表示処理の開始を指示できるようにしてもよい。この場合の制御部１４は、操作部１７からの操作信号に応じて、所定のユーザ操作（例えば、表示部１８がタッチパネル付きのディスプレイである場合に表示部１８をタップする操作など）が行われたことを認識すると、新たなスロー表示処理を開始する。
【００７８】
（変形例３）
上述した第１および第２の実施の形態の変形例において、パンニングが検出されて新たなスロー表示処理を開始する際に、撮像画像をスルー画表示する子画面５２を表示し、子画面５２を所定時間表示した後はその表示を終了する例について説明した。しかしながら、シャッターボタンの半押し操作を検出してスロー表示処理を開始したときから、この子画面５２を継続して表示させるようにしてもよい。
【００７９】
この場合、制御部１４は、子画面５２に、通常のスルー画（すなわち撮像素子１２により撮像された画像をスルー画で表示する画像）を表示するようにしてもよい。これにより、ユーザは、スロー表示に加えて、スルー画で撮像素子１２に撮像されている画像を確認することができる。
【００８０】
また、制御部１４は、子画面５２に、バッファメモリ１５に保持されている画像データのフレーム画像を、例えば撮像フレームレートと同一のスルー画表示用フレームレートで繰り返し表示するようにしてもよい。
【００８１】
（変形例４）
上述した第１および第２の実施の形態の変形例において、撮像装置１のパンニングを検出すると表示バー５３を点滅させる例について説明した。しかしながら、制御部１４は、表示バー５３において、この他の表示形態の変更（例えば色を変えるなど）によって、新たなスロー表示処理を開始したことをユーザに報知してもよい。また、制御部１４は、この他のスロー表示に関する情報（例えば、撮像フレームレート（スルー画表示用フレームレート）に対するスロー表示用フレームレートの倍率を示す情報５１など）の表示形態を変更することで、新たなスロー表示処理を開始したことをユーザに報知するようにしてもよい。
【００８２】
（変形例５）
上述した第１および第２の実施の形態では、シャッターボタンの半押し操作が行われると、ＡＥ処理、ＡＦ処理およびＡＷＢ処理を実行し、撮像装置１のパンニングが検出されると、これらの処理を再実行する例について説明した。しかしながら、制御部１４は、シャッターボタンの半押し操作が行われると、ＡＥ処理、ＡＦ処理およびＡＷＢ処理の少なくともいずれかを実行すればよく、撮像装置１のパンニングが検出されると、これらの処理の少なくともいずれかを再実行すればよい。
【００８３】
（変形例６）
上述した第１および第２の実施の形態では、シャッターボタンの半押し操作をスロー表示の開始を指示する操作とする例について説明したが、これに限らず、この他の操作（例えば特定のボタンの押下操作など）をスロー表示の開始を指示する操作とするようにしてもよい。
【００８４】
（変形例７）
上述した第１および第２の実施の形態では、操作部１７での操作によりスロービューモードに設定されると、撮像処理により得られる画像データを、バッファメモリ１５に逐次記憶していく例について説明した。これに限らず、シャッターボタンが半押し操作された時点から、撮像処理により逐次得られる複数の画像データを、バッファメモリ１５に逐次記憶していくようにしてもよい。また、上述した第２の実施形態では、バッファメモリ１５に第１の記憶領域および第２の記憶領域が割り振られているとしたが、複数のバッファメモリを設けてもよい。
【００８５】
（変形例８）
上述した第１および第２の実施の形態では、シャッターボタンを全押し操作すると、記録用画像を記録してスロー表示処理を終了した。これに限らず、スロー表示処理を継続し、シャッターボタンの全押し操作が複数回できるようにしてもよい。そして、シャッターボタンが全押し操作される毎に、全押し操作された時点で表示部１８に表示していたフレーム画像に対応する画像データを記録用画像として記録媒体１９に記録するようにしてもよい。この場合、バッファメモリ１５に記憶された画像データが全てスロー表示されたときにスロー表示処理を終了するようにしてもよい。またリピート再生される場合は、スロー再生を終了する操作を別に設けるようにすればよい。
【００８６】
以上の説明はあくまで一例であり、上記の実施形態の構成に何ら限定されるものではない。また、上記実施形態に各変形例の構成を適宜組み合わせてもかまわない。
【符号の説明】
【００８７】
１…撮像装置、１１…撮像光学系、１２…撮像素子、１４…制御部、１５…バッファメモリ、１６…振れ検出部、１７…操作部、１８…表示部、１９…記録媒体
【図１】
2014072705.tif 000003
【図２】
2014072705.tif 000004
【図３】
2014072705.tif 000005
【図４】
2014072705.tif 000006
【図５】
2014072705.tif 000007
【図６】
2014072705.tif 000008
【図７】
2014072705.tif 000009
【図８】
2014072705.tif 000010
【図９】
2014072705.tif 000011
【図１０】
2014072705.tif 000012
【図１１】
2014072705.tif 000013
【図１２】
2014072705.tif 000014
【図１３】
2014072705.tif 000015
【図１４】
2014072705.tif 000016